(57)【要約】【課題】制御基板を収容する基板ケースを確実に封印し、外部からの不正行為を防止できるようにする。【解決手段】係合孔５１はカバー４５の右側面の２カ所に透設され、断面Ｔ字状を有する切離部５２は、下部がベース４３の右側面の係合孔５１それぞれに対応する位置に固着されている。そして、切離部５２には嵌挿孔がそれぞれ透設され、ベース４３をカバー４５で覆った状態において、切離部５２の嵌挿孔に連通するように係合孔５１が位置している。この連通状態の嵌挿孔に、基板ケース４１に対して横方向から係合ピン５４が挿入され、係合ピン５４の先端部が係合孔５１に嵌入されて基板ケース４１が封印される。【選択図】　　　　図４
2004136078.tif 000002
【特許請求の範囲】
【請求項１】
ベースとカバーとに分割され遊技機筐体に固定される基板ケースに設けられ、遊技機用の制御基板を前記基板ケース内に収容して前記基板ケースを封印する遊技機用制御基板ケースの封印装置において、
前記ベースまたは前記カバーの一方の一側面に形成された嵌挿孔と、
前記ベースを前記カバーで覆った状態における前記ベースまたは前記カバーの他方の前記嵌挿孔に連通する位置に形成された係合孔と、
連通状態の前記嵌挿孔及び前記係合孔に前記基板ケースに対して横方向から挿入され先端部が前記係合孔に嵌入して前記基板ケースを封印する係合ピンと
を備えていることを特徴とする遊技機用制御基板ケースの封印装置。
【請求項２】
前記嵌挿孔の外側に形成され前記係合ピンを外部からアクセスできないように覆う包被体を備えていることを特徴とする請求項１に記載の遊技機用制御基板ケースの封印装置。
【請求項３】
前記包被体が内側に仕切壁を有し、前記仕切壁に前記係合ピンが挿通される挿通孔が透設され、前記挿通孔を介して前記係合ピンが前記嵌挿孔に嵌挿されて前記係合孔に嵌入することを特徴とする請求項２に記載の遊技機用制御基板ケースの封印装置。
【請求項４】
前記挿通孔の内周に摺接し、前記挿通孔に挿通した状態であって前記嵌挿孔に嵌挿しない状態に前記係合ピンを保持する突部が、前記係合ピンの外周に形成されていることを特徴とする請求項３に記載の遊技機用制御基板ケースの封印装置。
【請求項５】
前記嵌挿孔が、切離可能に前記ベースまたは前記カバーの他方に設けられた切離部に形成されている
ことを特徴とする請求項１ないし４のいずれかに記載の遊技機用制御基板ケースの封印装置。
【請求項６】
前記切離部が、外部から目視可能な位置に形成されたリブ状体を備えていることを特徴とする請求項１ないし５のいずれかに記載の遊技機用制御基板ケースの封印装置。
【請求項７】
前記ベースまたは前記カバーの他方の内側であって、前記係合孔の周縁に筒状の目隠し体が形成されていることを特徴とする請求項１ないし６のいずれかに記載の遊技機用制御基板ケースの封印装置。
【請求項８】
前記基板ケースを前記遊技機筐体に固定するための基板ホルダと、
前記ベースまたは前記カバーの一方の前記一側面に切断可能な支持部を介して形成された筒状の一方封印部と、
前記ベースまたは前記カバーの他方の前記一側面であって前記一方封印部との対向位置に切断可能な支持部を介して形成された筒状の他方封印部と、
前記ベースを前記カバーで覆った状態における前記一方封印部及び前記他方封印部それぞれの対向面に透設された透孔と、
前記基板ホルダの、前記ベースを前記カバーで覆った状態における前記一方封印部及び前記他方封印部の前記透孔に連通する位置に透設された係止孔と、
連通状態の前記両透孔及び前記係止孔に前記基板ケースに対して縦方向から挿入され先端部が前記係止孔を介して前記基板ホルダに係止して前記基板ケースを前記基板ホルダに固定するロックピンと
を更に備えていることを特徴とする請求項１ないし７のいずれかに記載の遊技機用制御基板ケースの封印装置。
【請求項９】
前記係止孔が、一方向に短尺でこれに直交する他方向に長尺の非円形をなし、前記ロックピンの先端部に外方へ向かうばね力を持って形成された係止片を備え、
前記ロックピンの先端部を前記係止孔に挿入する際には、短尺の前記一方向に対して前記係止片をそのばね力に抗して圧縮することで挿入可能な状態になり、
前記ロックピンの先端部を前記係止孔から引き抜く際には、前記係止孔に対して前記ロックピンをほぼ９０゜回転することで長尺の前記他方向に対して前記係止孔から引き抜き可能な状態になる
ことを特徴とする請求項８に記載の遊技機用制御基板ケースの封印装置。
【請求項１０】
前記ロックピンが、前記一方封印部または前記他方封印部のうち先に前記ロックピンを挿入する方の横断面内形とほぼ同じ外形の頭部を有し、
前記頭部には切欠または突起から成るガイド部が形成され、
前記一方封印部または前記他方封印部のうち先に前記ロックピンを挿入する方の内側には、前記ガイド部が嵌挿する凸条または凹溝から成る被ガイド部が形成され、
前記ガイド部及び前記被ガイド部の形成位置が、前記ロックピン並びにこれが挿入されるべき前記一方封印部または前記他方封印部毎に異なっている
ことを特徴とする請求項８または９に記載の遊技機用制御基板ケースの封印装置。
【請求項１１】
前記ロックピンが、前記一方封印部または前記他方封印部のうち先に前記ロックピンを挿入する方の横断面内形とほぼ同じ外形の頭部を有し、
前記頭部、及び、前記一方封印部または前記他方封印部のうち先に前記ロックピンを挿入する方の内側には、前記ロックピンの軸回りの回転を阻止する回転阻止部がそれぞれ形成されている
ことを特徴とする請求項８または９に記載の遊技機用制御基板ケースの封印装置。
【請求項１２】
前記頭部及び、前記一方封印部または前記他方封印部のうち先に前記ロックピンを挿入する方の内側には、前記ロックピンの軸回りの回転を阻止する回転阻止部がそれぞれ形成されている
ことを特徴とする請求項１０に記載の遊技機用制御基板ケースの封印装置。
【請求項１３】
前記ロックピンに、前記ロックピンが挿入された前記一方封印部または前記他方封印部の内周に圧接して前記ロックピンに対して引き抜き方向への抵抗となる抵抗片が形成されていることを特徴とする請求項８ないし１２のいずれかに記載の遊技機用制御基板ケースの封印装置。
【請求項１４】
前記一方封印部または前記他方封印部のうち先に前記ロックピンを挿入する方の内径が、連通状態の前記係止孔に向かうに連れて小さくなるように形成されていることを特徴とする請求項１３に記載の遊技機用制御基板ケースの封印装置。
【請求項１５】
前記ロックピンが、連結部材を介して前記ベースまたは前記カバーのいずれかに連結されていることを特徴とする請求項８に記載の遊技機用制御基板ケースの封印装置。
【請求項１６】
前記連結部材の外部から目視可能でロックピンを切断し易い位置に、不正行為の確認用マークが形成されていることを特徴とする請求項１５に記載の遊技機用制御基板ケースの封印装置。
【請求項１７】
前記ベース及び前記カバーが透明部材により形成され、前記ロックピンが外部から透視可能な色に着色されている
ことを特徴とする請求項８ないし１６のいずれかに記載の遊技機用制御基板ケースの封印装置。
【請求項１８】
箱体の一部分を成し切断可能な支持部を介して前記ベースまたは前記カバーの一方の前記一側面に支持された係合部と、
前記箱体の他の部分を成し切断可能な支持部を介して前記ベースまたは前記カバーの他方の前記一側面に支持された被係合部と
を備え、
前記ベースを前記カバーで覆ったときに前記係合部と前記被係合部との重合により構成される前記箱体の一側面が重畳するように前記係合部及び前記被係合部の一部が形成され、前記係合部及び前記被係合部の重畳部分の片方に前記嵌挿孔または前記係合孔の片方が透設されると共に、前記係合部及び前記被係合部の重畳部分のもう片方に前記嵌挿孔または前記係合孔のもう片方が透設され、前記箱体内部に前記係合ピンが収容される
ことを特徴とする請求項１に記載の遊技機用制御基板ケースの封印装置。
【請求項１９】
前記係合ピンが、連結部材を介して前記ベースまたは前記カバーのいずれかに連結されていることを特徴とする請求項１ないし１８のいずれかに記載の遊技機用制御基板ケースの封印装置。
【請求項２０】
前記ベース及び前記カバーが透明部材により形成され、前記係合ピンが外部から透視可能な色に着色されている
ことを特徴とする請求項１ないし１９のいずれかに記載の遊技機用制御基板ケースの封印装置。
【発明の詳細な説明】
【０００１】
【発明の属する技術分野】
この発明は、ベースとカバーとに分割され遊技機筐体に固定される基板ケースに設けられ、遊技機用の制御基板を基板ケース内に収容して基板ケースを封印する遊技機用制御基板ケースの封印装置に関する。
【０００２】
【従来の技術】
一般に、スロットマシンやパチンコ機等の遊技機は、マイクロコンピュータにより制御されるようになっており、このマイクロコンピュータは予め所定パターンのプリント配線が施された制御基板上に、ＣＰＵやＲＯＭ、ＲＡＭ等のチップ部品が実装されて構成され、この制御基板が、図３０に示すような基板ケース２００内に収容されて遊技機筐体内の所定位置に配設される（例えば、特許文献１参照）。
【０００３】
ところで、この基板ケース２００は、図３０に示すように、透明樹脂製のベース２０１とカバー２０２とに分割され、基板ケース２００内に制御基板を収めた後、かしめ部２０３においてベース２０１とカバー２０２とをかしめて封印し、このかしめ部２０３を壊さない限り基板ケース２００を開けることができない構造になっている。ここで、図３０には示されていないホルダが遊技機筐体内部の所定位置に固着され、基板ケース２００のベース２０１はこのホルダを介して遊技機筐体に固定されている。
【０００４】
そして、かしめ部２０３は、図３０に示すように、例えば基板ケース２００の右側面に設けられた６個の封印部材２０４〜２０９を備え、更にこれら各封印部材２０４〜２０９は、カバー２０２の右側面に一体的に形成されたほぼ円筒状を成すカバー側封印部２０４ａ〜２０９ａと、ベース２０１の右側面であって各カバー側封印部２０４ａ〜２０９ａそれぞれとの対向位置に一体的に形成されたベース側封印部２０４ｂ〜２０９ｂとを備え、ねじにより各カバー側封印部２０４ａ〜２０９ａそれぞれと各ベース側封印部２０４ｂ〜２０９ｂそれぞれとが締結されて封印されるようになっている。但し、図３０において、２１０，２１１，２１２はカバー２０２に形成された透孔から導出されたピンヘッダであり、基板ケース２００内の制御基板に配設されており、外部ケーブルに接続される。
【０００５】
このとき、当初内蔵されている正規のＲＯＭを取り外して不正な変造ＲＯＭが取り付けられることを防止するために、まず１番目の封印部材２０４の両封印部２０４ａ，２０４ｂがねじ止めされてケース２００が封印され、この封印状態のまま制御基板が基板ケース２００ごとパチンコホールに搬送される。更に、パチンコホールにおいて、２番目の両封印部２０５ａ，２０５ｂがねじ止めされて封印状態のケース２００がホルダを介して遊技機筐体に固定される。
【０００６】
そして、監督機関が変造ＲＯＭを取り締まるために、パチンコホールにおいてチェックする際に、ねじ止めされている１番目及び２番目の封印部材２０４，２０５が切断されて封印解除され、チェック終了後に３番目の封印部材２０６の両封印部２０６ａ，２０６ｂがねじ止めされ、このような監督機関による変造ＲＯＭの取り締まりごとに４番目、５番目の封印部材２０７，２０８が順次ねじ止めされて封印され、合計３回の監督機関によるチェックまで許容される構造になっている。
【０００７】
尚、制御基板を基板ケース２００ごと回収する際に、５番目の封印部材２０８が切断されて基板ケース２００が遊技機筐体から取り外し可能な状態にされると共に、６番目の封印部材２０９がねじ止めされて基板ケース２００が封印状態のまま搬送可能な状態にされ、制御基板が基板ケース２００ごと回収される。
【０００８】
【特許文献１】
特開２０００−１４９０８号公報（段落［０００３］及び図１，３）
【０００９】
【発明が解決しようとする課題】
しかし、上記したような従来のかしめ部２０３は、ねじ止めによって封印するものであるため、ねじ頭に形成されているマイナスドライバの係合溝を、逆動できないような傾斜構造にしてあるものの、円筒状のカバー側封印部２０４ａ〜２０９ａに外部から特殊工具を挿入して締結状態のねじを逆動操作して緩めることが可能であり、制御基板に対して何らかの不正行為を施すことができ、いわゆるゴト行為を防止することができないおそれがあった。
【００１０】
特に、不正行為が行われるのは、１番目の封印部材２０４の両封印部２０４ａ，２０４ｂがねじ止めされて基板ケース２００が封印されてから、パチンコホールに搬送されるまでの間に実行されることが多く、１番目の封印部２０４ａ，２０４ｂの構造に対する不正防止のための改善策が望まれる。
【００１１】
そこで、本発明は、制御基板を収容する基板ケースを確実に封印し、外部からの不正行為を防止できるようにすることを目的とする。
【００１２】
【課題を解決するための手段】
上記した目的を達成するために、本発明は、ベースとカバーとに分割され遊技機筐体に固定される基板ケースに設けられ、遊技機用の制御基板を前記基板ケース内に収容して前記基板ケースを封印する遊技機用制御基板ケースの封印装置において、前記ベースまたは前記カバーの一方の一側面に形成された嵌挿孔と、前記ベースを前記カバーで覆った状態における前記ベースまたは前記カバーの他方の前記嵌挿孔に連通する位置に形成された係合孔と、連通状態の前記嵌挿孔及び前記係合孔に前記基板ケースに対して横方向から挿入され先端部が前記係合孔に嵌入して前記基板ケースを封印する係合ピンとを備えていることを特徴としている（請求項１）。
【００１３】
このような構成によれば、ベースをカバーで覆うことにより、嵌挿孔と係合孔とが連通し、この連通状態の嵌挿孔に基板ケースに対して横方向から係合ピンが挿入されて係合孔に嵌入され、基板ケースが封印される。
【００１４】
このとき、基板ケースの横方向から係合ピンを挿入して封印するため、縦方向から係合ピンを挿入する場合に比べて係合ピンの状態を目視し易く、不正の痕跡を早期に発見することができ、基板ケースを透明にしておけば、不正の痕跡をより容易に発見することができる。
【００１５】
また、請求項１に記載の発明において、本発明は、前記嵌挿孔の外側に形成され前記係合ピンを外部からアクセスできないように覆う包被体を備えていることを特徴としている（請求項２）。このような構成によれば、包被体により係合ピンが覆われているため、外部からの工具を使った係合ピンへのアクセスを未然に防止することができ、不正行為を確実に防止することができる。
【００１６】
また、請求項２に記載の発明において、本発明は、前記包被体が内側に仕切壁を有し、前記仕切壁に前記係合ピンが挿通される挿通孔が透設され、前記挿通孔を介して前記係合ピンが前記嵌挿孔に嵌挿されて前記係合孔に嵌入することを特徴としている（請求項３）。
【００１７】
このような構成によれば、係合ピンは、封印時に包被体内側の仕切壁の位置まで挿入されるため、外部から係合ピンにアクセスすることは不可能になり、不正行為をより確実に防止することができる。
【００１８】
また、請求項３に記載の発明において、本発明は、前記挿通孔の内周に摺接し、前記挿通孔に挿通した状態であって前記嵌挿孔に嵌挿しない状態に前記係合ピンを保持する突部が、前記係合ピンの外周に形成されていることを特徴としている（請求項４）。
【００１９】
このような構成によれば、係合ピンの突部を挿通孔の内周に摺接させておくことで、嵌挿孔に嵌挿しない状態に係合ピンが保持されるため、基板ケースを封印した状態でもなく、挿通孔に完全には挿通されていない状態に係合ピンを保持しておくことができ、係合ピンの紛失を未然に防止することができる。
【００２０】
また、請求項１ないし４のいずれかに記載の発明において、本発明は、前記嵌挿孔が、切離可能に前記ベースまたは前記カバーの他方に設けられた切離部に形成されていることを特徴としている（請求項５）。このような構成によれば、封印を解除する必要が生じた場合に、切離部をベースまたはカバーから切離することで、切離部を除去することができる。
【００２１】
また、請求項１ないし５のいずれかに記載の発明において、前記切離部が、外部から目視可能な位置に形成されたリブ状体を備えていることを特徴としている（請求項６）。このような構成によれば、リブ状体を例えばニッパにより切断することで、切離部を容易に除去することができ、しかもリブ状体が目視可能であるため、切離部に対して不正が行われたときに、不正行為を容易に見つけることができる。
【００２２】
また、請求項１ないし６のいずれかに記載の発明において、前記ベースまたは前記カバーの他方の内側であって、前記係合孔の周縁に筒状の目隠し体が形成されていることを特徴としている（請求項７）。このような構成によれば、ベースとカバーとの隙間から針金等の異物を挿入して内側から係合ピンを押し出すといった不正行為を行おうとした場合に、目隠し体が邪魔になって係合ピンに対する不正を行いにくくなり、このような内側からの係合ピンに対する不正行為を未然に防止することができる。
【００２３】
また、請求項１ないし７のいずれかに記載の発明において、本発明は、前記基板ケースを前記遊技機筐体に固定するための基板ホルダと、前記ベースまたは前記カバーの一方の前記一側面に切断可能な支持部を介して形成された筒状の一方封印部と、前記ベースまたは前記カバーの他方の前記一側面であって前記一方封印部との対向位置に切断可能な支持部を介して形成された筒状の他方封印部と、前記ベースを前記カバーで覆った状態における前記一方封印部及び前記他方封印部それぞれの対向面に透設された透孔と、前記基板ホルダの、前記ベースを前記カバーで覆った状態における前記一方封印部及び前記他方封印部の前記透孔に連通する位置に透設された係止孔と、連通状態の前記両透孔及び前記係止孔に前記基板ケースに対して縦方向から挿入され先端部が前記係止孔を介して前記基板ホルダに係止して前記基板ケースを前記基板ホルダに固定するロックピンとを更に備えていることを特徴としている（請求項８）。
【００２４】
このような構成によれば、ベースをカバーで覆った状態で、一方封印部及び他方封印部の透孔と基板ホルダの係止孔に、基板ケースの縦方向からロックピンを挿入し、ロックピンの先端部を基板ホルダに係止させることにより、基板ケースが基板ホルダに固定されるため、遊技機筐体内部において基板ケースが基板ホルダに固定する際の作業スペースが狭い場合であっても、ロックピンを両封印部の透孔及び基板ホルダの係止孔に容易に挿入することができ、基板ケースを基板ホルダに固定することができる。
【００２５】
また、請求項８に記載の発明において、本発明は、前記係止孔が、一方向に短尺でこれに直交する他方向に長尺の非円形をなし、前記ロックピンの先端部に外方へ向かうばね力を持って形成された係止片を備え、前記ロックピンの先端部を前記係止孔に挿入する際には、短尺の前記一方向に対して前記係止片をそのばね力に抗して圧縮することで挿入可能な状態になり、前記ロックピンの先端部を前記係止孔から引き抜く際には、前記係止孔に対して前記ロックピンをほぼ９０゜回転することで長尺の前記他方向に対して前記係止孔から引き抜き可能な状態になることを特徴としている（請求項９）。
【００２６】
このような構成によれば、一方封印部または他方封印部を切断してもロックピンをほぼ９０゜回転して長尺の他方向に対して係止孔から引き抜き可能な状態にしない限り、ロックピンは係止孔に係止したままであるため、一方封印部または他方封印部が不正に切断された場合であっても、ベースとカバーの封印を簡単に解除することはできず、不正行為に対する抑止効果を発揮することができる。
【００２７】
また、請求項８または９に記載の発明において、本発明は、前記ロックピンが、前記一方封印部または前記他方封印部のうち先に前記ロックピンを挿入する方の横断面内形とほぼ同じ外形の頭部を有し、前記頭部には切欠または突起から成るガイド部が形成され、前記一方封印部または前記他方封印部のうち先に前記ロックピンを挿入する方の内側には前記ガイド部が嵌挿する凸条または凹溝から成る被ガイド部が形成され、前記ガイド部及び前記被ガイド部の形成位置が、前記ロックピン並びにこれが挿入されるべき前記一方封印部または前記他方封印部毎に異なっていることを特徴としている（請求項１０）。
【００２８】
このような構成によれば、ガイド部及び被ガイド部の形成位置がロックピン並びに透孔毎に異なっているため、例えば一方封印部または／及び他方封印部を不正に切断した後に、正規のものと異なるロックピンを使用して不正がなかったように偽装工作をしようとしても、ガイド部及び被ガイド部の形成位置の異なるロックピンを挿入することはできず、このような偽装を防止して不正行為の発見を容易に行うことができる。
【００２９】
また、請求項８または９に記載の発明において、本発明は、前記ロックピンが、前記一方封印部または前記他方封印部のうち先に前記ロックピンを挿入する方の横断面内形とほぼ同じ外形の頭部を有し、前記頭部、及び、前記一方封印部または前記他方封印部のうち先に前記ロックピンを挿入する方の内側には、前記ロックピンの軸回りの回転を阻止する回転阻止部がそれぞれ形成されていることを特徴としている（請求項１１）。
【００３０】
また、請求項１０に記載の発明において、本発明は、前記頭部及び、前記一方封印部または前記他方封印部のうち先に前記ロックピンを挿入する方の内側には、前記ロックピンの軸回りの回転を阻止する回転阻止部がそれぞれ形成されていてもよい（請求項１２）。
【００３１】
このような構成によれば、ロックピンの頭部の外形、及び、一方封印部または他方封印部のうち先にロックピンを挿入する方の横断面内形とがほぼ同じであり、各々に回転阻止部がそれぞれ形成されているため、頭部は備えていても外形の異なる他のロックピンを不正に挿入しようとしても挿入することができず、このような不正行為を未然に防止することができる。
【００３２】
また、請求項８ないし１０のいずれかに記載の発明において、本発明は、前記一方封印部または前記他方封印部のうち先に前記ロックピンを挿入する方の内径が、連通状態の前記係止孔に向かうに連れて小さくなるように形成され、前記ロックピンに、前記ロックピンが挿入された前記一方封印部または前記他方封印部の内周に圧接して前記ロックピンに対して引き抜き方向への抵抗となる抵抗片が形成されていることを特徴としている（請求項１３）。このとき、請求項１４に記載のように、前記一方封印部または前記他方封印部のうち先に前記ロックピンを挿入する方の内径が、連通状態の前記係止孔に向かうに連れて小さくなるように形成されているのが好ましい。
【００３３】
このような構成によれば、係止孔に係止されているロックピンを不正に引き抜こうとしても、抵抗片が抵抗となってロックピンを容易に引き抜くことができないため、ロックピンの不正な引き抜きを防止することができる。
【００３４】
また、請求項８に記載の発明において、本発明は、前記ロックピンが、連結部材を介して前記ベースまたは前記カバーのいずれかに連結されていることを特徴としている（請求項１５）。このような構成によれば、ロックピンが連結部材によりベースまたはカバーに連結されているため、基板ケースの基板ホルダへの固定作業時にロックピンを紛失するおそれがなく、固定作業を非常に効率よく行うことができる。
【００３５】
また、請求項１５に記載の発明において、本発明は、前記連結部材の外部から目視可能でロックピンを切断し易い位置に、不正行為の確認用マークが形成されていることを特徴としている（請求項１６）。このような構成によれば、ロックピンを連結部材から不正に切り離し、その後元の連結部材に連結されていたものとは異なるロックピンを使用して不正がなかったように偽装工作をしようとしても、かかる偽装を防止して不正行為の発見を容易に行うことができる。
【００３６】
また、請求項８ないし１６のいずれかに記載の発明において、本発明は、前記ベース及び前記カバーが透明部材により形成され、前記ロックピンが外部から透視可能な色に着色されていることを特徴としている（請求項１７）。このような構成によれば、ロックピンを外部から容易に透視して目視することができるため、ロックピン周辺に不正行為が行われても、不正の痕跡をよりいっそう早期かつ容易に発見することができる。
【００３７】
また、請求項１に記載の発明において、本発明は、箱体の一部分を成し切断可能な支持部を介して前記ベースまたは前記カバーの一方の前記一側面に支持された係合部と、前記箱体の他の部分を成し切断可能な支持部を介して前記ベースまたは前記カバーの他方の前記一側面に支持された被係合部とを備え、前記ベースを前記カバーで覆ったときに前記係合部と前記被係合部との重合により構成される前記箱体の一側面が重畳するように前記係合部及び前記被係合部の一部が形成され、前記係合部及び前記被係合部の重畳部分の片方に前記嵌挿孔または前記係合孔の片方が透設されると共に、前記係合部及び前記被係合部の重畳部分のもう片方に前記嵌挿孔または前記係合孔のもう片方が透設され、前記箱体内部に前記係合ピンが収容されることを特徴としている（請求項１８）。
【００３８】
このような構成によれば、ベースをカバーで覆うことにより、係合部と被係合部とが重合して箱体が構成され、この箱体の一側面に形成されている嵌挿孔及び係合孔に、基板ケースの横方向から係合ピンが挿入され、箱体内部に係合ピンが収容される。そのため、係合ピンに対して外部からアクセスすることが困難となり、不正行為を確実に防止することができる。このとき、係合部及び被係合部を透明にしておけば、箱体内部の係合ピンを透視できることから、不正の痕跡を早期かつ容易に発見することができる。
【００３９】
また、請求項１ないし１８のいずれかに記載の発明において、本発明は、前記係合ピンが、連結部材を介して前記ベースまたは前記カバーのいずれかに連結されていることを特徴としている（請求項１９）。このような構成によれば、係合ピンが連結部材によりベースまたはカバーに連結されているため、封印作業時に係合ピンを紛失するおそれがなく、封印作業を非常に効率よく行うことができる。
【００４０】
また、請求項１ないし１９のいずれかに記載の発明において、本発明は、前記ベース及び前記カバーが透明部材により形成され、前記係合ピンが外部から透視可能な色に着色されていることを特徴としている（請求項２０）。このような構成によれば、係合ピンを外部から容易に透視して目視することができるため、係合ピン周辺に不正行為が行われても、不正の痕跡をよりいっそう早期かつ容易に発見することができる。
【００４１】
【発明の実施の形態】
（第１実施形態）
この発明を遊技機であるスロットマシンに適用した場合における第１実施形態について図１ないし図９を参照して説明する。但し、図１はスロットマシンの正面図、図２及び図３はそれぞれケースの一部の分解斜視図及び組立状態の斜視図、図４及び図５は一部のそれぞれ異なる状態における断面図、図６及び図７は他の一部のそれぞれ異なる状態における断面図、図８は図５の一部の斜視図、図９は図７の一部のある状態における斜視図である。
【００４２】
本実施形態におけるスロットマシンは、例えば図１に示すように構成されている。即ち、図１に示すように、スロットマシン１では、筐体３の前面が前面パネル５により開閉自在に閉塞され、この前面パネル５のほぼ中央高さの位置に操作板７が配設されると共に、この操作板７の上方に正面板９が配設されている。
【００４３】
そして、この正面板９には３個のリール窓１１が並設され、各リール窓１１の内側には左、中、右の各回転リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００４４】
更に、この操作板７には、クレジットされているメダルから投入を行うクレジットメダルボタン１５、各リールの回転を開始させるためのスタートレバー１７、第１ないし第３ストップボタン１９，２１，２３、及び、メダル投入口２５や精算ボタン２７が設けられている。また、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７やメダル受け３９が設けられている。
【００４５】
ところで、筐体３内部の上側には、ＣＰＵやＲＯＭ、ＲＡＭ等のチップ部品が実装された制御基板を収容した基板ケースが配設される。図２及び図３に示すように、この基板ケース４１は、透明樹脂製のベース４３とカバー４５とに分割され、基板ケース４１内に制御基板４７が収められた後、右側のかしめ部においてベース４３とカバー４５とがかしめられて封印され、筐体３内部に固着された基板ホルダ４９に基板ケース４１が固定され、かしめ部を壊さない限り基板ケース４１を開けることができない構造になっている。尚、ベース４３及びカバー４５の左側には、凹凸の組み合わせから成る係止部及び被係止部が形成され、これら係止部及び被係止部によりベース４３及びカバー４５の左側が係脱自在に係合されている。
【００４６】
ところで、かしめ部には２種類の封印構造が採用されており、その１つは係合ピンを基板ケース４１の横方向から挿入して封印（以下、これを横方向封印と称する）する構造であり、もう１つはロックピンを基板ケース４１の縦方向から挿入して基板ホルダ４９に固定すると同時に基板ケース４１を封印（以下、これを縦方向封印と称する）する構造である。ここで、基板ホルダ４９は、基板ケース４１を遊技機筐体３に固定するために、遊技機筐体３内部の所定位置に固着されて設けられている。
【００４７】
図２ないし図５及び図８に示すように、前者の横方向封印構造は、係合孔５１と、切離部５２と、この切離部５２に形成された嵌挿孔５３と、係合ピン５４とを備えている。係合孔５１はカバー４５の右側面の２カ所に透設されている。両切離部５２は断面Ｔ字状を有し、下部がベース４３の右側面の両係合孔５１それぞれに対応する位置に固着されている。そして、両切離部５２の上部には嵌挿孔５３がそれぞれ透設され、ベース４３をカバー４５で覆った状態において、両切離部５２の嵌挿孔５３に連通するように係合孔５１が位置している。この連通状態の嵌挿孔５３に、基板ケース４１に対して横方向から係合ピン５４が挿入され、係合ピン５４の先端部が係合孔５１に嵌入されて基板ケース４１が封印されるようになっている。
【００４８】
ところで、図２ないし図５に示すように、係合孔５１の外側には、係合ピン５４を外部からアクセスできないように覆う包被体５６が設けられており、この包被体５６は、底面が開口した中空の直方体状を有する基部５６ａと、この基部５６ａの右側面に連接されたほぼ円筒状の円筒部５６ｂとから成り、基部５６ａと円筒部５６ｂとの間を仕切る仕切壁５６ｅには、係合ピン５４が挿通される挿通孔５６ｃが透設され、この挿通孔５６ｃを介して係合ピン５４が嵌挿孔５３に嵌挿されて係合孔５１に係合する。但し、円筒部５６ｂの下部には、図４及び図５に示すように、後述する連結部材の紐状体を導入するための凹溝５６ｄが形成されている。尚、この凹溝５６ｄに代えてスリットを形成しても構わない。
【００４９】
このとき、特に図４に示されるように、係合ピン５４のほぼ中央部外周には、挿通孔５６ｃの内周に摺接するリング状の突部５７が形成され、挿通孔５６ｃに挿通した状態において突部５７が挿通孔５６ｃに係止して係合ピン５４を嵌挿孔５３に嵌挿しない状態に保持できるようになっている。尚、この突部５７は、リング状でなくてもよく、係合ピン５４の外周に複数個突出して形成されたものであってもよく、要するに挿通孔５６ｃに挿通した状態において、挿通孔５６ｃに係止して係合ピン５４を嵌挿孔５３には嵌挿しない状態に保持できるものであればよい。
【００５０】
更に、図２に示すように、係合ピン５４の先端は矢印状を成し、係合ピン５４が係合孔５１に挿入されると、特に図５に示されるように、矢印状の係合ピン５４の先端がカバー４５の右側面内側に係合して、係合ピン５４の引抜きが阻止されるようになっている。
【００５１】
ところで、図２ないし図５に示すように、係合ピン５４は、連結部材５９を介してカバー４５に連結されている。即ち、連結部材５９は、長尺平板状の基体５９ａと、この基体５９ａの一側に一体形成された断面Ｌ字状の取付片５９ｂと、基体５９ａの他側に一体形成された可撓性を有する紐状体５９ｃとにより構成され、紐状体５９ｃの先端に係合ピン５４の頭部が取り付くように連結部材５９に係合ピン５４が一体形成されている。
【００５２】
そして、連結部材５９の取付片５９ｂが、カバー４５の右端に形成された切欠部６０に挿通され、取付片５９ｂに透設された円形孔６１にカバー４５の右側内面に一体形成された円柱状突部６２が嵌挿され、この突部６２が加熱溶融され、連結部材５９の取付片５９ｂがカバー４５の右側内面に固着されるようになっている。
【００５３】
このように、連結部材５９を介して係合ピン５４をカバー４５に連結しておけば、基板ケース４１の封印作業時に係合ピン５４を紛失するおそれがなく、封印作業を非常に効率よく行うことができる。
【００５４】
また、基板ケース４１のベース４３及びカバー４５が上記したように透明であるのに対し、係合ピン５４及び連結部材５９が透明の基板ケース４１を介して透視できるような色、例えば黒色や茶色に着色されている。こうすることで、係合ピン５４を外部から容易に透視して目視することができるため、係合ピン５４の周辺に不正行為が行われても、不正の痕跡をよりいっそう早期かつ容易に発見することができるのである。尚、このときの着色は、黒色や茶色に限定されるものではなく、要するに透明の基板ケース４１を介して透視できる色であれば、何色であってもよい。
【００５５】
更に、特に図８に示されるように、切離部５２のほぼ中央部には、ニッパにより切離部５２をベース４３から切離し易くするための凹部６５が形成されており、係合ピン５４により封印された基板ケース４１の封印を解除するときに、切離部５２の凹部６５の両側がニッパで切断されてベース４３から切離され、基板ケース４１の封印が解除される。
【００５６】
続いて、縦方向封印構造について説明すると、図２、図３、図６及び図７に示すように、上記したような２カ所の横方向封印構造の間に形成された４カ所の封印構造から成り、カバー４５の右側面に切断可能な支持部６７を介して形成されたほぼ円筒状の一方封印部としての４個のカバー側封印部６８Ｂ，６８Ｃ，６８Ｄ，６８Ｅと、ベース４３の右側面であってカバー側封印部６８Ｂ〜６８Ｅとの対向位置に切断可能な支持部６９を介して形成された円筒状の他方封印部としての４個のベース側封印部７０Ｂ，７０Ｃ，７０Ｄ，７０Ｅと、ベース４３をカバー４５で覆った状態におけるカバー側封印部６８Ｂ〜６８Ｅ及びベース側封印部７０Ｂ〜７０Ｅそれぞれの対向面に透設された透孔７１，７２と、ベース４３をカバー４５で覆った状態における各透孔７１，７２に連通するように基板ホルダ４９に透設された４個の係止孔７３と、連通状態の透孔７１，７２及び係止孔７３に基板ケース４１に対して縦方向から挿入され先端部が係止孔７３を介して基板ホルダ４９に係止して基板ケース４１を基板ホルダ４９に固定する４個のロックピン７４とを備えている。
【００５７】
ここで、図２、図３、図６、図７に示すように、各ロックピン７４は、上記した係合ピン５４と同様に、その頭部が連結部材５９の紐状体５９ｃに取り付くように一体形成され、連結部材５９を介してカバー４５に連結されており、係合ピン５４と同色を有している。
【００５８】
そして、カバー側封印部６８Ｂ〜６８Ｅには、ロックピン７４の紐状体５９ｃの導入用凹溝７５が形成されている。また、図２に示すように、各ロックピン７４の先端は矢印状を成し、ロックピン７４が係止孔７３に挿入されると、特に図７に示されるように、ロックピン７４の矢印状の先端が基板ホルダ４９に係止して、ロックピン７４の引抜きが阻止されるようになっている。尚、この凹溝７５に代えてスリットを形成してもよい。
【００５９】
更に、特に図６及び図７に示されるように、ロックピン７４のほぼ中央部外周には、係合ピン５４と同様に、カバー側封印部６８Ｂ〜６８Ｅの透孔７１の内周に摺接するリング状の突部が形成され、ロックピン７４を透孔７１に挿通した状態において、突部が透孔７１に係止してロックピン７４をベース側封印部７０Ｂ〜７０Ｅの透孔７２には嵌挿しない状態に保持でき、図９に示すように、支持片６７，６９及び紐状体５９ｃが切断されてカバー側封印部６８Ｂ〜６８Ｅ及びベース側封印部７０Ｂ〜７０Ｅが、それぞれカバー４５及びベース４３から切り離されると、これにより基板ケース４１の封印が解除されると同時に、基板ケース４１が基板ホルダ４９から取り外し可能になる。
【００６０】
また、上記した縦方向封印構造において、特に図９に示されるように基板ホルダ４９に透設された４個の係止孔７３が、ベース４３及びカバー４５の右側面に平行な方向（本発明における一方向に相当）に短尺で、かつ、ベース４３及びカバー４５の右側面に直交する方向（本発明おける他方向に相当）に長尺の長円形をなすように形成されている。このとき、係止孔７３の長尺寸法は、ロックピン７４の先端の最大寸法よりも大きくなるように設定されている。
【００６１】
そして、各ロックピン７４の先端部は、特に図２に示されるように、外方へ向かうばね力を持って形成された矢印状の係止片７４ａを備えるため、ロックピン７４の先端部を長円形の係止孔７３に挿入する際には、係止孔７３の短尺方向に対して係止片７４ａをそのばね力に抗して圧縮すれば挿入可能な状態になる。尚、この係止片７４ａと同様の矢印状の係止片は係合ピン５４の先端部にも設けられている。
【００６２】
また、係止孔７３に一旦挿入したロックピン７４の先端部を係止孔７３から引き抜こうとしても、係止孔７３に対してロックピン７４をほぼ９０゜回転し、長尺方向に対して係止孔７３から引き抜き可能な状態にしない限り、ロックピン７４を係止孔７３から引き抜くことはできない。
【００６３】
こうすると、図９に示すように、支持片６７をニッパにより切断してカバー側封印部６８Ｂ及びベース側封印部７０Ｂをカバー４５から切り離すと、ロックピン７４先端の係止片７４ａの最大寸法方向が係止孔７３の長尺方向に平行になるように、ロックピン７４を係止孔７３に対して回転することで、始めて、切断したカバー側封印部６８Ｂ及びベース側封印部７０Ｂと共に係止孔７３からロックピン７４を引き抜くことが可能になる。このことは、その他のカバー側封印部６８Ｃ〜６８Ｅについても同様である。このとき、ベース側封印部７０Ｂ〜７０Ｅの透孔７２はロックピン７４の先端の最大寸法よりも大きく遊通可能に設定しておくと、ベース側封印部７０Ｂをベース４３から切断しなくても、切断したカバー側封印部６８Ｂと共にロックピン７４を係止孔７３及び透孔７２から引き抜くことができ、カバー側封印部６８Ｂを切断するだけでよく、切断作業を簡略化できる。
【００６４】
ところで、従来の場合と同様に、当初内蔵されている制御基板４７上の正規のＲＯＭを取り外して不正な変造ＲＯＭが取り付けられることを防止するために、まず１番目の横方向封印構造（図２，３中の“Ａ”の位置）である包被体５６の挿通孔５６ｃに係合ピン５４が基板ケース４１の横方向から挿通され、嵌挿孔５３及び係合孔５１に係合ピン５４が嵌入されて基板ケース４１が封印され、この封印状態のまま制御基板４７が基板ケース４１ごとパチンコホールに搬送される。
【００６５】
更に、パチンコホールにおいて、１番目の縦方向封印構造（図２，３中の“Ｂ”の位置）であるカバー側封印部６８Ｂにロックピン７４が挿入され、カバー側封印部６８Ｂ及びベース側封印部７０Ｂの透孔７１，７２、更には基板ホルダ４９の係止孔７３にロックピン７４が基板ケース４１の縦方向から挿入され、ロックピン７４の先端部が基板ホルダ４９に係止されて封印状態の基板ケース４１が基板ホルダ４９に固定される。
【００６６】
監督機関が変造ＲＯＭを取り締まるために、図９に示すように、支持片６７，６９が切断されてカバー側封印部６８Ｂ及びベース側封印部７０Ｂがそれぞれカバー４５及びベース４３から切り離され、紐状体５９ｃが切断されて基板ケース４１が基板ホルダ４９から取り外し可能な状態とされる。更に、封印状態の横方向封印構造における切離部５２の凹部６５の両側がニッパにより切断されて切離部５２がベース４３から切離され、基板ケース４１の封印が完全に解除される。
【００６７】
こうして、完全に封印解除されてカバー４５が開放可能な状態とされた後、所定のチェック作業が実行され、チェック終了後には２番目の縦方向封印構造（図２，３中の“Ｃ”の位置）であるカバー側封印部６８Ｃにロックピン７４が挿入され、カバー側封印部６８Ｃ及びベース側封印部７０Ｃの透孔７１，７２、更には基板ホルダ４９の係止孔７３にロックピン７４が基板ケース４１の縦方向から挿入され、ロックピン７４の先端部が基板ホルダ４９に係止されて基板ケース４１が再び封印されると同時に基板ホルダ４９に固定される。
【００６８】
このような監督機関による変造ＲＯＭの取り締まりごとに、３番目、４番目の縦方向封印構造（図２，３中の“Ｄ”、“Ｅ”の位置）であるカバー側封印部６８Ｄ，６８Ｅにロックピン７４が挿入され、上記した１番目及び２番目の縦方向封印構造の場合と同様にして、ロックピン７４により基板ケース４１が封印されると同時に基板ホルダ４９に固定される。
【００６９】
尚、制御基板４７を基板ケース４１ごと回収する際には、封印状態の４番目のカバー側封印部６８Ｅ，ベース側封印部７０Ｅが、それらを支持する各支持部６７，６９において切断されてカバー側封印部６８Ｅ及びベース側封印部７０Ｅがそれぞれカバー４５及びベース４３から切り離され、ロックピン７４が切込み部分で切断されて基板ケース４１の封印が解除されると同時に、基板ケース４１が基板ホルダ４９から取り外し可能な状態とされ、２番目の横方向封印構造（図２，３中の“Ｆ”の位置）である包被体５６の挿通孔５６ｃに係合ピン５４が基板ケース４１の横方向から挿通され、嵌挿孔５３及び係合孔５１に係合ピン５４が嵌入されて基板ケース４１が封印され、基板ケース４１が封印状態のまま搬送可能な状態にされ、制御基板４７が基板ケース４１ごと回収される。
【００７０】
従って、第１実施形態によれば、基板ケース４１の横方向から係合ピン５４を挿入して封印する構造を有するため、縦方向から挿入する場合に比べて係合ピン５４の状態を目視し易く、不正の痕跡を早期に発見することができ、基板ケース４１が透明であることから、不正の痕跡をより容易にかつ早期に発見することができる。
【００７１】
また、包被体５６により係合ピン５４を覆っているため、外部からの工具を使った係合ピン５４へのアクセスを未然に防止することができ、不正行為を確実に防止することができる。
【００７２】
更に、ベース４３をカバー４５で覆った状態で、カバー側封印部６８Ｂ〜６８Ｅ及びベース側封印部７０Ｂ〜７０Ｅの透孔７１，７２と、基板ホルダ４９の係止孔７３に、基板ケース４１の縦方向からロックピン７４を挿入し、ロックピン７４の先端部を基板ホルダ４９に係止させて基板ケース４１を基板ホルダ４９に固定することにより、遊技機筐体３の内部において基板ケース４１が基板ホルダ４９に固定する際の作業スペースが狭い場合であっても、ロックピン７４による基板ケース４１の封印作業及び基板ホルダ４９への固定作業を容易に行うことができる。
【００７３】
また、係合ピン５４及びロックピン７４を連結部材５９によりカバー４５に連結しているため、基板ケース４１の封印作業時及び基板ホルダ４９への固定作業時に、係合ピン５４やロックピン７４を紛失するおそれがなく、封印作業及び固定作業を非常に効率よく行うことができる。しかも、連結部材５９の可撓性を有する紐状体５９ｃを介して係合ピン５４やロックピン７４を連結部材５９の基体５９ａに一体形成しているため、不正行為を行いにくい構成となっている。
【００７４】
更に、カバー側封印部６８Ｂ〜６８Ｅを切断しても、ロックピン７４を係止孔７３の短尺方向からほぼ９０゜回転し、係止孔７３の長尺方向に対して係止孔７３から引き抜き可能な状態にしない限り、ロックピン７４は係止孔７３に係止したままであるため、カバー側封印部６８Ｂ〜６８Ｅが不正に切断された場合であっても、ベース４３とカバー４５の封印を簡単に解除することはできず、不正行為に対する抑止効果を十分に発揮することができる。
【００７５】
（第２実施形態）
この発明の第２実施形態について図１０ないし図１４を参照して説明する。但し、図１０はケースの一部の分解斜視図、図１１及び図１２は一部の接合状態における斜視図及び平面図、図１３及び図１４はそれぞれ異なる一部の接合状態における断面図である。尚、本実施形態もスロットマシンに適用した例であって、本実施形態におけるスロットマシンの構成は、図１に示すものと基本的に同じであるため、以下の説明では図１も参照することとし、主として上記した第１実施形態と相違する点について説明する。
【００７６】
本実施形態では、基板ケース４１を構成するベース４３及びカバー４５に形成されたかしめ部の構成が、上記した第１実施形態と大きく相違している。即ち、図１０に示すように、第１実施形態における２カ所の横方向封印構造に相当するものとして、箱体８０の底部を成す係合部８１が、切断可能な支持部８２を介してカバー４５の右側面の２カ所に一体形成され、箱体８０の底部以外の部分を成す被係合部８４が、切断可能な支持部８５を介してベース４３の右側面の２カ所に一体形成され、ベース４３をカバー４５で覆ったときに係合部８１と被係合部８４との重合により形成される箱体８０の右側面が重畳するように、係合部８１及び被係合部８４の一部が形成され、重畳する係合部８１及び被係合部８４の一部にそれぞれ嵌挿孔８７及び係合孔８８が透設され、箱体８０の内部に係合ピン８９が収容されるようになっている。ここで、嵌挿孔８７に嵌挿した係合ピン８９の径大の頭部が外部に突出することのないように、嵌挿孔８７にはざぐりが形成されている。
【００７７】
このとき、被係合部８４の右側面には重畳片９０が一体形成され、この重畳片９０に嵌挿孔８７が透設され、係合部８１の右側面には重畳片９０が嵌挿する形状の凹部９１が形成され、この凹部９１に係合孔８８が透設されており、ベース４３をカバー４５で覆うことにより、図１１ないし図１３に示すように、係合部８１と被係合部８４とが重合して箱体８０が形成され、その際重畳片９０が凹部９１に嵌挿し、外側の嵌挿孔８７が内側の係合孔８８と連通した状態となる。ここで、係合部８１及び被係合部８４はベース４３やカバー４５と同様に透明樹脂製である。
【００７８】
そして、インサート成型により可撓性を有する紐状の連結部材９２がベース４３に一体形成され、連結部材９２の先端に係合ピン８９が一体的に取り付けられてベース４３に連結され、図１１ないし図１３に示すように、この係合ピン８９が連通状態の嵌挿孔８７及び係合孔８８に嵌入され、係合ピン８９の先端が係合部８１の内側に係合して基板ケース４１が封印されるようになっている。
【００７９】
ところで、係合ピン８９の先端部分は円錐台状に形成されると共に先端側から十字状の割れ目９３が形成され、これにより係合ピン８９の先端部分が拡縮自在となっており、嵌挿孔８７及び係合孔８８に係合ピン８９を容易に挿通でき、かつ、係合ピン８９の先端を係合部８１の内側に係合させることができる。また、係合ピン８９及び連結部材９２は、外部から透視可能な色、例えば黒色や茶色に着色されており、透明な係合部８１及び被係合部８４を介して係合ピン８９を透視でき、係合ピン８９の周辺における不正行為を外部から容易に発見することができる。
【００８０】
続いて、第１実施形態における４カ所の縦方向封印構造に相当するものとして、図１０に示すように、上記した箱体８０と同様の箱体９５の底部を成す係合部９６が、切断可能な支持部９７を介してカバー４５の右側面の４カ所に一体形成され、箱体９５の底部以外の部分を成す被係合部９８が、切断可能な支持部９９を介してベース４３の右側面の４カ所に一体形成され、ベース４３をカバー４５で覆ったときに係合部９６と被係合部９８との重合により形成される箱体９５の右側面が重畳するように、各係合部９６及び各被係合部９８の一部が形成されている。
【００８１】
このとき、被係合部９８の右側面には上記した重畳片９０よりも肉薄の舌片１００が一体形成され、この舌片１００に挿入孔１０１が透設されている。更に、基板ホルダ４９には舌片１００に重合する重合片１０２が一体形成され、この重合片１０２に嵌挿孔１０３が透設されている。ここで、これら舌片１００及び重合片１０２が重合したときに、上記した重畳片９０とほぼ同じ肉厚になるように舌片１００及び重合片１０２の厚みが設定されている。そして、係合部９６の右側面には舌片１００及び重合片１０２が嵌挿する形状の凹部１０５が形成され、この凹部１０５に係合孔１０６が透設されている。
【００８２】
また、被係合部９８の底部には、基板ホルダ４９の重合片１０２の隣接位置に形成された位置決め凹部１０７に嵌入する嵌入凸部１０８が一体形成されており、ベース４３をカバー４５で覆い、基板ホルダ４９の位置決め凹部１０７に被係合部９８の嵌入凸部１０８を嵌入することにより、図１０及び図１４に示すように、係合部９６と被係合部９８とが重合して箱体９５が形成され、その際舌片１００及び重合片１０２が凹部１０５に嵌挿し、外側の嵌挿孔１０３が内側の挿入孔１０１及び係合孔１０６と連通した状態となり、連通状態の嵌挿孔１０３、挿入孔１０１及び係合孔１０６に係合ピン１１０が嵌入され、係合ピン１１０の先端が係合部９６の内側に係合して基板ケース４１が封印されるようになっている。このとき、箱体９５の内部に係合ピン１１０が収容される。尚、嵌挿孔１０３にも、嵌挿した係合ピン１１０の径大の頭部が外部に突出することのないように、ざぐりが形成されている。
【００８３】
ところで、係合ピン１１０は、上記した係合ピン８９と同様に、インサート成型によりベース４３に一体形成された可撓性を有する紐状の連結部材１１１の先端に一体的に取り付けられてベース４３に連結され、係合ピン１１０の先端部分は円錐台状に形成されると共に先端側から十字状の割れ目１１２が形成され、これにより係合ピン１１０の先端部分が拡縮自在となっており、嵌挿孔１０３、挿入孔１０１及び係合孔１０６に係合ピン１１０を容易に挿通でき、かつ、係合ピン１１０の先端を係合部９６の内側に係合させることができるようになっている。また、係合ピン１１０及び連結部材１１１は、上記した係合ピン８９及び連結部材９２と同様に、外部から透視可能な例えば黒色や茶色に着色されている。
【００８４】
従って、第２実施形態によれば、上記した第１実施形態と同様に、基板ケース４１の横方向から係合ピン８９，１１０を挿入して封印するため、縦方向から挿入する場合に比べて係合ピン８９，１１０の状態を目視し易く、不正の痕跡を早期に発見することができ、基板ケース４１が透明であることから、不正の痕跡を容易にかつ早期に発見することができるという効果が得られる。
【００８５】
更に、基板ケースの横方向から係合ピン８９，１１０が挿入され、箱体８０，９５の内部に係合ピン８９，１１０が収容されるため、係合ピン８９，１１０に対して外部からアクセスすることが困難となり、不正行為を確実に防止することができ、このとき係合部８１，９６及び被係合部８４，９８が透明であることから、箱体８０，９５の内部の係合ピン８９，１１０を透視することができ、不正の痕跡をいっそう早期かつ容易に発見することができる。
【００８６】
（第３実施形態）
この発明の第３実施形態について図１５ないし図１７を参照して説明する。但し、図１５はケースの一部の分解斜視図、図１６及び図１７は一部の接合状態における断面及び平面図である。尚、本実施形態もスロットマシンに適用した例であって、本実施形態におけるスロットマシンの構成は、図１に示すものと基本的に同じであるため、以下の説明では図１も参照することとし、主として上記した第１、第２実施形態と相違する点について説明する。
【００８７】
本実施形態においても、基板ケース４１を構成するベース４３及びカバー４５に形成されたかしめ部の構成が、上記した第１実施形態と大きく相違している。但し、本実施形態においても、係合部及び被係合部により箱体を構成する点は第２実施形態と同様であるが、構成が若干相違している。
【００８８】
即ち、第１実施形態における２カ所の横方向封印構造に相当するものとして、図１５に示すように、箱体１１５の上部を成す係合部１１６が、切断可能な支持部１１７を介してカバー４５の右側面の２カ所に一体形成され、箱体１１５の上部以外の部分を成す被係合部１１８が、切断可能な支持部１１９を介してベース４３の右側面の２カ所に一体形成され、ベース４３をカバー４５で覆ったときに係合部１１６と被係合部１１８との重合により形成される箱体１１５の右側面が重畳するように、係合部１１６及び被係合部１１８の一部が形成され、重畳する係合部１１６及び被係合部１１８の一部にそれぞれ嵌挿孔１２０及び係合孔１２１が透設され、箱体１１５の内部に係合ピン１２２が収容されるようになっている。
【００８９】
このとき、被係合部１１８の右側面には重畳片１２５が一体形成され、この重畳片１２５に嵌挿孔１２０が透設され、係合部１１６の右側面には重畳片１２５が嵌挿する形状の凹部１２６が形成され、この凹部１２６に係合孔１２１が透設されており、ベース４３をカバー４５で覆うことにより、図１５ないし図１７に示すように、係合部１１６と被係合部１１８とが重合して箱体１１５が形成され、その際重畳片１２５が凹部１２６に嵌挿し、外側の嵌挿孔１２０が内側の係合孔１２１と連通した状態となる。ここで、係合部１１６及び被係合部１１８はベース４３やカバー４５と同様に透明樹脂製であり、嵌挿孔１２０に嵌挿した係合ピン１２２の径大の頭部が外部に突出することのないように、嵌挿孔１２０にはざぐりが形成されている。
【００９０】
そして、インサート成型により可撓性を有する紐状の連結部材１２８がベース４３に一体形成され、連結部材１２８の先端に係合ピン１２２が一体的に取り付けられてベース４３に連結され、図１５ないし図１７に示すように、この係合ピン１２２が連通状態の嵌挿孔１２０及び係合孔１２１に嵌入され、係合ピン１２２の先端が係合部１１６の内側に係合して、係合ピン１２２が箱体１１５内に収容された状態で基板ケース４１が封印されるようになっている。
【００９１】
ところで、係合ピン１２２の先端部分は円錐台状に形成されると共に先端側から十字状の割れ目１２９が形成され、これにより係合ピン１２２の先端部分が拡縮自在となっており、嵌挿孔１２０及び係合孔１２１に係合ピン１２２を容易に挿通でき、かつ、係合ピン１２２の先端を係合部１１６の内側に係合させることができる。また、係合ピン１２２及び連結部材１２８は、不正行為を外部から発見し易いように、外部から透視可能な色、例えば黒色や茶色に着色されている。
【００９２】
続いて、第１実施形態における４カ所の縦方向封印構造に相当するものとして、図１５に示すように、上記した箱体１１５と同様の箱体１３１が係合部１３２及び被係合部１３３により形成されるようになっており、係合部１３２は上記した係合部１１６と同様の形状を有し、カバー４３の右側面であって両係合部１１６の間の４カ所に係合部１３２が切断可能な支持部１３４を介して一体形成されている。一方、被係合部１３３は上記した被係合部１１８と同様の形状を有し、基板ホルダ４９の４カ所に一体形成されている。このように、被係合部１１８と同様の形状を有する被係合部１３３が基板ホルダ４９に形成されている点が、特に上記した第２実施形態と相違している。
【００９３】
更に、被係合部１３３の右側面には、上記した重畳片１２５と同様の重畳片１３５が一体形成され、この重畳片１３５に嵌挿孔１３６が透設され、係合部１３２の右側面には重畳片１３５が嵌挿する形状の凹部１３８が形成され、この凹部１３８に係合孔１３９が透設されており、ベース４３をカバー４５で覆うことにより、図１５ないし図１７に示すように、係合部１３２と被係合部１３３とが重合して箱体１３１が形成され、その際重畳片１３５が凹部１３８に嵌挿し、外側の嵌挿孔１３６が内側の係合孔１３９と連通した状態となる。
【００９４】
そして、上記した係合ピン１２２と同様に、インサート成型によりベース４３に一体形成された可撓性を有する紐状の連結部材１４０の先端にも係合ピン１４１が一体的に取り付けられてベース４３に連結され、図１５ないし図１７に示すように、連通状態の嵌挿孔１３６及び係合孔１３９にこの係合ピン１４１が嵌入され、係合ピン１４１の先端が係合部１３２の内側に係合して、係合ピン１４１が箱体１３１内に収容された状態で基板ケース４１が封印されるようになっている。ここで、係合ピン１４１及び連結部材１４０も、外部から透視可能な色（例えば、黒色や茶色）に着色されている。
【００９５】
ここで、係合部１３２及び被係合部１３３はベース４３やカバー４５と同様に透明樹脂製であり、嵌挿孔１３６に嵌挿した係合ピン１４１の径大の頭部が外部に突出することのないように、嵌挿孔１３６にもざぐりが形成されている。
【００９６】
従って、第３実施形態によれば、上記した第２実施形態と同等の効果を得ることができる。
【００９７】
（第４実施形態）
この発明の第４実施形態について図１８及び図１９を参照して説明する。但し、図１８はケースの一部の断面図、図１９はケースの他の一部を内側から見た図である。尚、本実施形態もスロットマシンに適用した例であって、本実施形態におけるスロットマシンの構成は、図１に示すものと基本的に同じであるため、以下の説明では図１も参照することとし、主として上記した第１実施形態と相違する点について説明する。
【００９８】
図４及び図５と対比すればよくわかるように、本実施形態では、図１８及び図１９に示すように、本実施形態では、２カ所の横方向封印構造において、基板ケース４１のカバー４５の内側であって係合孔５１の周縁に、円筒状の目隠し体１５０が形成され、この目隠し体１５０により、挿通孔５６ｃ及び嵌挿孔５３に挿通されて係合孔５１に係合した係合ピン５４の先端が包被されるようになっている点が、上記した第１実施形態と相違している。
【００９９】
従って、第４実施形態によれば、上記した第１実施形態と同等の効果を得ることができるのは勿論のこと、例えばベース４３とカバー４５との隙間から針金等の細長い異物を挿入し、基板ケース４１の内側から係合ピン５４を押し出すといった不正行為を行おうとした場合に、目隠し体１５０が邪魔になって係合ピン５４に対する不正を行いにくくなるため、このような内側からの係合ピン５４に対する不正行為を未然に防止することができる。
【０１００】
（第５実施形態）
この発明の第５実施形態について図２０ないし図２３を参照して説明する。但し、図２０はロックピンの平面図、図２１は透孔の平面図、図２２及び図２３はロックピンの異なる状態における切断斜視図である。尚、本実施形態もスロットマシンに適用した例であって、本実施形態におけるスロットマシンの構成は、図１に示すものと基本的に同じであるため、以下の説明では図１も参照することとし、主として上記した第１実施形態と相違する点について説明する。
【０１０１】
本実施形態では、図２０ないし図２３に示すように、４カ所の縦方向封印構造において、カバー側封印部６８Ｂ〜６８Ｅ及びベース側封印部７０Ｂ〜７０Ｅの透孔７１，７２にそれぞれ挿入されるロックピンを７４Ｂ，７４Ｃ，７４Ｄ，７４Ｅとすると、各ロックピン７４Ｂ〜７４Ｅそれぞれに、平面視形状ほぼＤ字状で透孔７１，７２に挿入可能な外形を有する頭部７４１が一体形成されると共に、各ロックピン７４Ｂ〜７４Ｅそれぞれが挿入されるカバー側封印部６８Ｂ〜６８Ｅの横断面の内形もこれと同じくほぼＤ字状に形成されている。このように、各ロックピン７４Ｂ〜７４Ｅの頭部７４１の外形及びカバー側封印部６８Ｂ〜６８Ｅの横断面内形がほぼＤ字状をなすことで、ほぼＤ字状の頭部７４１の直線部分及びカバー側封印部６８Ｂ〜６８Ｅの横断面内形の直線部分が、それぞれ本発明における回転阻止部７４２，７４３として機能し、各ロックピン７４Ｂ〜７４Ｅの透孔７１，７２内での軸回りの回転が阻止される。
【０１０２】
また、特に図２０，２１の（ａ）〜（ｄ）に示されるように、頭部７４１には切欠から成るガイド部７４５が形成され、カバー側封印部６８Ｂ〜６８Ｅの内側にはガイド部７４５が嵌挿する軸方向への凸条から成る被ガイド部７４６が形成されている。このとき、ガイド部７４５及び被ガイド部７４６の形成位置が、各ロックピン７４Ｂ〜７４Ｅ（図２０（ａ）〜（ｄ））並びにこれが挿入されるべきカバー側封印部６８Ｂ〜６８Ｅ（図２１（ａ）〜（ｄ））毎に異なっている。
【０１０３】
更に、カバー側封印部６８Ｂ〜６８Ｅの内径が、連通状態の係止孔７３に向かうに連れて小さくなるように形成され、ロックピン７４Ｂ〜７４Ｅの頭部７４１に、ロックピン７４Ｂ〜７４Ｅの挿入時にカバー側封印部６８Ｂ〜６８Ｅそれぞれの内周に圧接してロックピン７４Ｂ〜７４Ｅに対して引き抜き方向への抵抗となる可撓性を有する鍔状の抵抗片７４７が形成されている。尚、各ロックピン７４Ｂ〜７４Ｅの頭部７４１中央の凹部７４８は、各ロックピン７４Ｂ〜７４Ｅを先端の尖った工具で透孔７１，７２内に押し込む際に、工具のずれを防止して押し込みを容易にするためのガイドとなる。
【０１０４】
このような抵抗片７４７を形成することで、内径が徐々に小さくなるカバー側封印部６８Ｂ〜６８Ｅにロックピン７４Ｂ〜７４Ｅを押し込んだときに、図２３に示すように、抵抗片７４７がカバー側封印部６８Ｂ〜６８Ｅの内周に圧接してめくれ上がった状態に変形しつつロックピン７４Ｂ〜７４Ｅが挿入される。そして、ロックピン７４Ｂ〜７４Ｅの挿入が完了すると、抵抗片７４７はめくれ上がったままであるため、この状態でロックピン７４Ｂ〜７４Ｅを引き抜こうとしても抵抗片７４７がカバー側封印部６８Ｂ〜６８Ｅの内周との摩擦により、ロックピン７４Ｂ〜７４Ｅを引き抜くことは困難になる。
【０１０５】
従って、第５実施形態によれば、例えばカバー側封印部６８Ｂ〜６８Ｅ及びベース側封印部７０Ｂ〜７０Ｅを不正に切断した後に、正規のものと異なるロックピンを使用して不正がなかったように偽装工作をしようとしても、そのロックピンのガイド部７４５の位置と被ガイド部７４６の位置とが合致しないため、そのロックピンを挿入することができず、このような偽装を防止して不正行為の発見を容易に行うことができる。
【０１０６】
更に、各ロックピン７４Ｂ〜７４Ｅの頭部７４１の外形、及び、カバー側封印部６８Ｂ〜６８Ｅの横断面内形とがほぼ同じであり、各々に回転阻止部７４２，７４３がそれぞれ形成されているため、頭部は備えていてもその外形の異なる他の不正なロックピンを挿入しようとしても、頭部の形状が異なるロックピンをカバー側封印部６８Ｂ〜６８Ｅに挿入することはできず、このような不正行為を未然に防止することができる。
【０１０７】
また、係止孔７１，７２に係止されている各ロックピン７４Ｂ〜７４Ｅを不正に引き抜こうとしても、抵抗片７４７が抵抗となって各ロックピン７４Ｂ〜７４Ｅを容易に引き抜くことができないため、各ロックピン７４Ｂ〜７４Ｅの不正な引き抜きを防止することができる。
【０１０８】
なお、ロックピン７４Ｂ〜７４Ｅ側のガイド部７４５を突起により構成し、カバー側封印部６８Ｂ〜６８Ｅ側の被ガイド部７４６を凹溝により構成しても構わない。
【０１０９】
また、上記した第５実施形態では、ロックピン７４Ｂ〜７４Ｅの頭部７４１がガイド部７４５及び回転阻止部７４２の両方を備え、カバー側封印部６８Ｂ〜６８Ｅが被ガイド部７４６及び回転阻止部７４３の両方を備えた例を示したが、これら回転阻止部７４２，７４３は必ずしも備えていなくてもよい。逆に、ロックピン７４Ｂ〜７４Ｅの頭部７４１及びカバー側封印部６８Ｂ〜６８Ｅが回転阻止部７４２，７４３だけを備え、ガイド部７４５及び被ガイド部７４６を備えていなくても構わない。更に、ロックピン７４Ｂ〜７４Ｅの頭部７４１が抵抗片７４７を備えていなくてもよいのは勿論である。
【０１１０】
また、カバー側封印部６８Ｂ〜６８Ｅは、上記したようにその内径が次第に小さくなるように形成されている必要はなく、少なくとも抵抗片７４７を除外した頭部７４１の外径と同じか若干大きめの内径であって均一に形成されていてもよい。
【０１１１】
（第６実施形態）
この発明の第６実施形態について図２４ないし図２９を参照して説明する。但し、図２４及び図２５はベースの一部を異なる方向から見た斜視図、図２６はカバーの一部の斜視図、図２７及び図２８はベース及びカバーの一部を分解した状態で異なる方向から見た斜視図、図２９はベース及びカバーを組み合わせた状態での一部の斜視図である。尚、本実施形態もスロットマシンに適用した例であって、本実施形態におけるスロットマシンの構成は、図１に示すものと基本的に同じであるため、以下の説明では図１も参照することとし、主として上記した第１実施形態と相違する点について説明する。
【０１１２】
本実施形態では、１番目の横方向封印構造（図２，３中の“Ａ”の位置）における切離部を、特に図２４及び図２５に示すように変更した点が、第１実施形態と相違する。
【０１１３】
即ち、第１実施形態における切離部５２は断面Ｔ字状（図２，４，５を参照）であったのに対し、図２４及び図２５に示すように、本実施形態における切離部１６０は、ベース４３の右側面に、この右側面に沿ってカバー４５側に延びる四角形の平板状基部１６１と、この基部１３１に透設された嵌挿孔１６２と、上面を除き基部１６１の右側を囲むように基部１６１の右側に一体形成され基部１６１ともどもカバー４５側の包被体５６内に嵌挿される側面視コ字状の枠部１６３と、枠部１６３の下面のベース側封印部７０Ｂ寄りの位置にベース４３の右側面に直交してベース４３に一体形成された第１リブ状体１６４と、枠部１６３のベース側封印部７０Ｂの反対側面からその下方にかけてベース４３の右側面に平行にベース４３に一体形成された第２リブ状体１６５とを備えている。
【０１１４】
このように、本実施形態では、ベース４３をカバー４５により包被して基部１６１及び枠部１６３が包被体５６内に嵌挿された状態であっても、外部から目視可能な位置に第１、第２リブ状体１６４，１６５は形成されている。
【０１１５】
尚、本実施形態では、各ベース側封印部７０Ｂ〜７０Ｅは、第１実施形態のようにそれぞれ切断可能な支持部６９を介してベース４３に取り付けられているのではなく、各ベース側封印部７０Ｂ〜７０Ｅが連続的な支持部１６９によりベース４３に一体形成されて支持されている。更に、枠部１６３の下部には、ニッパにより両リブ状体１６４，１６５を切断し易いように、第１実施形態の凹部６５と同様の凹部１６７が形成されている。また、図２４中に１点鎖線で示すように、ニッパによる切断を容易にするための透孔１６８を第２リブ状体１６５のほぼ中央部の目視可能な位置に透設しておいても構わない。
【０１１６】
一方、特に図２６に示されるように、第２リブ状体１６５の嵌挿を可能にするための溝１７１が、包被体５６の基部５６ａにおけるカバー側封印部６８Ｂと反対側面に形成されている。
【０１１７】
従って、第６実施形態によれば、第１，第２リブ状体１６４，１６５をニッパにより切断することで、切離部１６０を除去することができ、しかも第１，第２リブ状体１６４，１６５が外部から目視可能であるため、切離部１６０に対して不正が行われたときに、不正行為を容易に見つけることができる。
【０１１８】
なお、本発明は上記した各実施形態に限定されるものではなく、その趣旨を逸脱しない限りにおいて上述したもの以外に種々の変更を行うことが可能である。
【０１１９】
例えば、上記した第１実施形態において、連結部材５９をベース４３側に固着してもよく、その際上記した熱溶着ではなくインサート成型により連結部材５９をベース４３またはカバー４５に一体形成するようにしても構わないのは勿論である。
【０１２０】
また、上記した第２、第３実施形態とは逆に、係合部をベース４３側に、被係合部をカバー４５側にそれぞれ形成してもよい。
【０１２１】
更に、上記した各実施形態において、連結部材５９の外部から目視可能でロックピン７４を切断し易い位置に、不正行為の確認用マークを形成してもよい。ここで、各認容マークの形成位置とは、主として切欠部６０から露出する基体５９ａの取付片５９ｂとの接続部分であり、ここに連結部材５９の材質を表わす　“＞ＰＰ＜”の文字やその他の文字、記号、或いは紐状体５９ｃの方向への多数の溝を確認用マークとして形成する。
【０１２２】
こうすれば、ロックピン７４を連結部材５９から不正に切り離し、その後元の連結部材５９に連結されていたものとは異なるロックピンを使用して不正がなかったように偽装工作をしようとしても、かかる不正行為を容易に発見することができる。
【０１２３】
更に、上記した各実施形態を適宜組み合わせることも可能であり、必要に応じた組み合わせを行ってもよいのは勿論である。
【０１２４】
また、上記した各実施形態では、本発明をスロットマシンに適用した場合について説明したが、パチンコ機といった他の遊技機にも本発明を適用することができ、その場合にも上記した各実施形態と同等の効果を得ることができる。
【０１２５】
【発明の効果】
以上のように、請求項１に記載の発明によれば、ベースをカバーで覆うことにより、嵌挿孔と係合孔とが連通し、この連通状態の嵌挿孔に基板ケースに対して横方向から係合ピンが挿入されて係合孔に嵌入され、基板ケースが封印されるため、基板ケースの横方向から係合ピンを挿入して封印することで、縦方向から挿入する場合に比べて係合ピンの状態を目視し易く、不正の痕跡を早期に発見することができ、基板ケースを透明にしておけば、不正の痕跡をより容易に発見することが可能になる。
【０１２６】
また、請求項２に記載の発明によれば、包被体により係合ピンが覆われているため、外部からの工具を使った係合ピンへのアクセスを未然に防止することができ、不正行為を確実に防止することが可能になる。
【０１２７】
また、請求項３に記載の発明によれば、係合ピンは、封印時に包被体内側の仕切壁の位置まで挿入されるため、外部から係合ピンにアクセスすることは不可能になり、不正行為をより確実に防止することが可能になる。
【０１２８】
また、請求項４に記載の発明によれば、係合ピンの突部を挿通孔の内周に摺接させておくことで、嵌挿孔に嵌挿しない状態に係合ピンが保持されるため、基板ケースを封印した状態でもなく、挿通孔に完全に挿通された状態でもなく係合ピンを保持しておくことができ、係合ピンの紛失を未然に防止することが可能になる。
【０１２９】
また、請求項５に記載の発明によれば、封印を解除する必要が生じた場合に、切離部をベースまたはカバーから切離することで、切離部を除去することができ、基板ケースの封印を簡単に解除することが可能になる。
【０１３０】
また、請求項６に記載の発明によれば、リブ状体を例えばニッパにより切断することで、切離部を容易に除去することができ、しかもリブ状体が目視可能であるため、切離部に対して不正が行われたときに、不正行為を容易に見つけることが可能になる。
【０１３１】
また、請求項７に記載の発明によれば、ベースとカバーとの隙間から針金等の異物を挿入して内側から係合ピンを押し出すといった不正行為を行おうとした場合に、目隠し体が邪魔になって係合ピンに対する不正を行いにくくなり、このような内側からの係合ピンに対する不正行為を未然に防止することが可能になる。
【０１３２】
また、請求項８に記載の発明によれば、ベースをカバーで覆った状態で、一方封印部及び他方封印部の透孔と基板ホルダの係止孔に、基板ケースの縦方向からロックピンを挿入し、ロックピンの先端部を基板ホルダに係止させることにより、基板ケースが基板ホルダに固定されるため、遊技機筐体内部において基板ケースが基板ホルダに固定する際の作業スペースが狭い場合であっても、ロックピンを両封印部の透孔及び基板ホルダの係止孔に容易に挿入することができ、基板ケースを基板ホルダに固定することが可能になる。
【０１３３】
また、請求項９に記載の発明によれば、一方封印部または他方封印部を切断してもロックピンをほぼ９０゜回転して長尺の他方向に対して係止孔から引き抜き可能な状態にしない限り、ロックピンは係止孔に係止したままであるため、一方封印部または他方封印部が不正に切断された場合であっても、ベースとカバーの封印を簡単に解除することはできず、不正行為に対する抑止効果を発揮することが可能になる。
【０１３４】
また、請求項１０に記載の発明によれば、ガイド部及び被ガイド部の形成位置がロックピン並びに透孔毎に異なっているため、例えば一方封印部または／及び他方封印部を不正に切断した後に、正規のものと異なるロックピンを使用して不正がなかったように偽装工作をしようとしても、ガイド部及び被ガイド部の形成位置の異なるロックピンを挿入することはできず、このような偽装を防止して不正行為の発見を容易に行うことが可能になる。
【０１３５】
また、請求項１１，１２に記載の発明によれば、ロックピンの頭部の外形、及び、一方封印部または他方封印部のうち先にロックピンを挿入する方の横断面内形とがほぼ同じであり、各々に回転阻止部がそれぞれ形成されているため、頭部は備えていても外形の異なる他のロックピンを不正に挿入しようとしても挿入することができず、このような不正行為を未然に防止することが可能になる。
【０１３６】
また、請求項１３，１４に記載の発明によれば、係止孔に係止されているロックピンを不正に引き抜こうとしても、抵抗片が抵抗となってロックピンを容易に引き抜くことができないため、ロックピンの不正な引き抜きを防止することが可能になる。
【０１３７】
また、請求項１５に記載の発明によれば、ロックピンが連結部材によりベースまたはカバーに連結されているため、基板ケースの基板ホルダへの固定作業時にロックピンを紛失するおそれがなく、固定作業を非常に効率よく行うことが可能になる。
【０１３８】
また、請求項１６に記載の発明によれば、ロックピンを連結部材から不正に切り離し、その後元の連結部材に連結されていたものとは異なるロックピンを使用して不正がなかったように偽装工作をしようとしても、かかる偽装を防止して不正行為の発見を容易に行うことが可能になる。
【０１３９】
また、請求項１７に記載の発明によれば、ロックピンを外部から容易に透視して目視することができるため、ロックピン周辺に不正行為が行われても、不正の痕跡をよりいっそう早期かつ容易に発見することが可能になる。
【０１４０】
また、請求項１８に記載の発明によれば、ベースをカバーで覆うことにより、係合部と被係合部とが重合して箱体が構成され、この箱体の一側面に形成されている嵌挿孔及び係合孔に、基板ケースの横方向から係合ピンが挿入され、箱体内部に係合ピンが収容されるため、係合ピンに対して外部からアクセスすることが困難となり、不正行為を確実に防止することができ、係合部及び被係合部を透明にしておけば、箱体内部の係合ピンを透視できることから、不正の痕跡を早期かつ容易に発見することが可能になる。
【０１４１】
また、請求項１９に記載の発明によれば、係合ピンが連結部材によりベースまたはカバーに連結されているため、封印作業時に係合ピンを紛失するおそれがなく、封印作業を非常に効率よく行うことが可能になる。
【０１４２】
また、請求項２０に記載の発明によれば、係合ピンを外部から容易に透視して目視することができるため、係合ピン周辺に不正行為が行われても、不正の痕跡をよりいっそう早期かつ容易に発見することが可能になる。
【図面の簡単な説明】
【図１】この発明の第１実施形態におけるスロットマシンの正面図である。
【図２】この発明の第１実施形態におけるケースの一部の分解斜視図である。
【図３】この発明の第１実施形態におけるケースの一部の組立状態の斜視図である。
【図４】この発明の第１実施形態における一部のある状態における断面図である。
【図５】この発明の第１実施形態における一部の異なる状態における断面図である。
【図６】この発明の第１実施形態における他の一部のある状態における断面図である。
【図７】この発明の第１実施形態における他の一部の異なる状態における断面図である。
【図８】図５の一部の斜視図である。
【図９】図７の一部のある状態における斜視図である。
【図１０】この発明の第２実施形態におけるケースの一部の分解斜視図である。
【図１１】この発明の第２実施形態における一部の接合状態における斜視図である。
【図１２】この発明の第２実施形態における一部の接合状態における平面図である。
【図１３】この発明の第２実施形態における他の一部の接合状態における断面図である。
【図１４】この発明の第２実施形態における異なる一部の接合状態における断面図である。
【図１５】この発明の第３実施形態における一部の分解斜視図である。
【図１６】この発明の第３実施形態における一部の断面図である。
【図１７】この発明の第３実施形態における一部の平面図である。
【図１８】この発明の第４実施形態におけるケースの一部の断面図である。
【図１９】この発明の第４実施形態におけるケースの他の一部を内側から見た図である。
【図２０】この発明の第５実施形態におけるロックピンの平面図である。
【図２１】この発明の第５実施形態における透孔の平面図である。
【図２２】この発明の第５実施形態におけるロックピンのある状態における切断斜視図である。
【図２３】この発明の第５実施形態におけるロックピンの異なる状態における切断斜視図である。
【図２４】この発明の第６実施形態におけるベースの一部をある方向から見た斜視図である。
【図２５】この発明の第６実施形態におけるベースの一部を異なる方向から見た斜視図である。
【図２６】この発明の第６実施形態におけるカバーの一部の斜視図である。
【図２７】この発明の第６実施形態におけるベース及びカバーの一部を分解した状態であ方向から見た斜視図である。
【図２８】この発明の第６実施形態におけるベース及びカバーの一部を分解した状態である方向から見た斜視図である。
【図２９】この発明の第６実施形態におけるベース及びカバーを組み合わせた状態での一部の斜視図である。
【図３０】従来例の斜視図である。
【符号の説明】
１　　スロットマシン（遊技機）
３　　筐体（遊技機筐体）
４１　基板ケース
４３　ベース
４５　カバー
４７　制御基板
４９　基板ホルダ
５１，８８，１２１　係合孔
５２，１６０　切離部
５３，８７，１２０　嵌挿孔
５４，８９，１２２　係合ピン
５６　包被体
５６ｃ　挿通孔
５６ｅ　仕切壁
５７　突部
５９，９２，１２８　連結部材
５９ｃ　紐状体
６８Ｂ，６８Ｃ，６８Ｄ，６８Ｅ　カバー側封印部（一方封印部）
７０Ｂ，７０Ｃ，７０Ｄ，７０Ｅ　ベース側封印部（他方封印部）
７１，７２　透孔
７３　係止孔
７４　ロックピン
８１，１１６　係合部
８２，８５，１１７，１１９　支持部
８４，１１８　被係合部
８０，１１５　箱体
１５０　目隠し体
１６４　第１リブ状体
１６５　第２リブ状体
７４１　頭部
７４２，７４３　回転阻止部
７４５　ガイド部
７４６　被ガイド部
７４７　抵抗片
【図１】
2004136078.tif 000003
【図２】
2004136078.tif 000004
【図３】
2004136078.tif 000005
【図４】
2004136078.tif 000006
【図５】
2004136078.tif 000007
【図６】
2004136078.tif 000008
【図７】
2004136078.tif 000009
【図８】
2004136078.tif 000010
【図９】
2004136078.tif 000011
【図１０】
2004136078.tif 000012
【図１１】
2004136078.tif 000013
【図１２】
2004136078.tif 000014
【図１３】
2004136078.tif 000015
【図１４】
2004136078.tif 000016
【図１５】
2004136078.tif 000017
【図１６】
2004136078.tif 000018
【図１７】
2004136078.tif 000019
【図１８】
2004136078.tif 000020
【図１９】
2004136078.tif 000021
【図２０】
2004136078.tif 000022
【図２１】
2004136078.tif 000023
【図２２】
2004136078.tif 000024
【図２３】
2004136078.tif 000025
【図２４】
2004136078.tif 000026
【図２５】
2004136078.tif 000027
【図２６】
2004136078.tif 000028
【図２７】
2004136078.tif 000029
【図２８】
2004136078.tif 000030
【図２９】
2004136078.tif 000031
【図３０】
2004136078.tif 000032